【手続補正書】
【提出日】平成18年4月4日(2006.4.4)
【手続補正１】
【補正対象書類名】明細書
【補正対象項目名】特許請求の範囲
【補正方法】変更
【補正の内容】
【特許請求の範囲】
【請求項１】  少なくとも接続位置で第１の電気的な端子に接続される、第１の開閉リング（４）として形成された第１の開閉部材と、
少なくとも接続位置で第２の電気的な端子に接続され、保持部材（１１）に固定された開閉ピン（５）と、開閉軸線（１）の方向においてアーク室（７）によって第１の開閉リング（４）から分離された第２の開閉リングと、からなる第２の開閉部材と、
を備え、前記保持部材（１１）が開閉駆動装置によって開閉軸線（１）に沿って、接続位置と遮断位置との間で切換え可能であり、前記接続位置において開閉ピン（５）が第１の開閉リングに接触し、又、前記遮断位置において開閉ピン（５）が第１及び第２の開閉リングから離隔される、圧力ガス遮断器用の焼損型開閉装置において、
第１の開閉リング（４）が動かぬように形成され、
前記開閉ピン（５）が、前記接続位置で機械的な接触力及び電磁的に発生した接触力のうち少なくとも一つの作用を受けることにより、該開閉ピン（５）の第１の接触領域が第１の開閉リング（４）に押し付けられるように形成され、
前記開閉ピン（５）が、前記遮断位置及び遮断時のうち少なくともどちらかの場合、機械的な接触力及び電磁的に発生した接触力のうち少なくとも一つの作用を受けることにより、該開閉ピン（５）の第２の接触領域が第２の開閉リング（６）の内面に押し付けられるように形成されていることを特徴とする焼損型開閉装置。
【請求項２】  接続位置で開閉ピン（５）が第１の開閉部材に接触することによって弾性的に偏向または弾性的に変形することを特徴とする請求項１記載の焼損型開閉装置。
【請求項３】  接続位置で開閉ピン（５）が側方にずれることによって開閉軸線（１）に対して横方向に弾性的に偏向することを特徴とする請求項２記載の焼損型開閉装置。
【請求項４】  開閉ピン（５）が開閉軸線（１）に対して横方向に向いた傾動軸線回りに傾動可能であり、接続位置でこの傾動軸線が第１の開閉リング（４）と第２の開閉リング（６）の間に位置し、この傾動により、開閉ピンの第１の接触領域が第１の開閉リング（４）の内面に押し付けられ、同時に第２の接触領域が第２の開閉リング（６）の内面に押し付けられることを特徴とする請求項１〜３のいずれか一つに記載の焼損型開閉装置。
【請求項５】  開閉ピン（５）がヒンジを介して保持部材（１１）に連結され、傾動軸線がこのヒンジを通過して延びていることを特徴とする請求項４記載の焼損型開閉装置。
【請求項６】  ヒンジが保持部材（１１）に固定連結された弾性的な棒（１０）の端部に取付けられていることを特徴とする請求項５記載の焼損型開閉装置。
【請求項７】  開閉ピン（５）がそれを保持部材（１１）に連結する連結部材に動かぬように固定され、この連結部材は開閉ピン（５）の側方への弾性的な偏向と、傾動軸線回りの回転ピンの弾性的な回転偏向を可能にすることを特徴とする請求項４記載の焼損型開閉装置。
【請求項８】  連結部材が弾性的なばね要素、特に板ばね（２１）であることを特徴とする請求項７記載の焼損型開閉装置。
【請求項９】  接続位置で開閉ピン（５）が開閉軸線（１）の方向に弾性的に圧縮されたばね要素を介して保持部材に支持されていることを特徴とする請求項２〜８のいずれか一つに記載の焼損型開閉装置。
【請求項１０】  第２の開閉リング（６）が第１の開閉リング（４）の方へ弾性的に偏向可能であり、接続位置において第１の開閉部材の方に向いた開閉ピン（５）の衝突面が開閉部材に押し付けられることを特徴とする請求項９記載の焼損型開閉装置。
【請求項１１】  第２の開閉リング（６）が扇形部分（２６）に分割され、この扇形部分がそれぞれ、円環ディスク（２５）の対応する扇形部分（２９）の内側縁部に固定され、隣接する扇形部分（２９）がそれぞれ内側縁部から延び全体にわたって延びていないスリット（２８）によって分離されていることを特徴とする請求項１０記載の焼損型開閉装置。
【請求項１２】  スリット（２８）が半径方向に延びていることを特徴とする請求項１１記載の焼損型開閉装置。
【請求項１３】  開閉ピン（５）が保持部材（１１）に連結された支持体（３０）を備え、かつ少なくとも１つの接触領域の範囲において少なくとも２つの部分からなり、この部分の少なくとも一方が接触部材であり、この接触部材が他方の部分と相対的に半径方向に制限的に移動可能であり、かつ接続位置で接触力によって他方の部分から離れるように押圧され、それによって接触部材の接触面（３９）が他方の部分と反対側の外面で、少なくとも第１の開閉リング（４）の内面に押し付けられることを特徴とする請求項１〜１２のいずれか一つに記載の焼損型開閉装置。
【請求項１４】  開閉ピン（５）が接触領域の範囲に、２個以上の接触部材のグループを備え、この接触部材が開閉ピン軸線を取り囲み、かつ開閉ピン（５）の尖端からほぼ同じように軸方向に離して配置されていることを特徴とする請求項１３記載の焼損型開閉装置。
【請求項１５】  支持体（３０）が接触領域内まで延びていることを特徴とする請求項１３または１４記載の焼損型開閉装置。
【請求項１６】  接触部材のグループが支持体（３０）を取り囲むように配置されていることを特徴とする請求項１５記載の焼損型開閉装置。
【請求項１７】  接触部材が一体のスリーブ（３１）の一部であることを特徴とする請求項１４〜１６のいずれか一つに記載の焼損型開閉装置。
【請求項１８】  支持体（３０）が開閉ピン（５）の尖端の方に向いた斜めのくさび面（３２）を備え、少なくとも１個の接触部材が支持体（３０）と相対的に軸方向に少なくとも制限されて摺動可能であり、接触部材の拡開面（３６）が支持体（３０）のくさび面（３２）に接触し、それによって接続位置で接触部材が拡開面（３６）に対するくさび面（３２）の作用により、支持体（３０）によって拡開されることを特徴とする請求項１３〜１７のいずれか一つに記載の焼損型開閉装置。
【請求項１９】  少なくとも１個の接触部材がその外面に、開閉ピン（５）の尖端の方に向いた、ストッパーとの相互作用のための当接面（３７）を備えていることを特徴とする請求項１８記載の焼損型開閉装置。
【請求項２０】  少なくとも１個の接触部材が支持体（３０）と相対的に、開閉ピン（５）の尖端の方に向いた弾性的な力によって付勢されていることを特徴とする請求項１８または１９記載の焼損型開閉装置。
【請求項２１】  弾性的な力が支持体（３０）に支持されたばね要素によって加えられることを特徴とする請求項２０記載の焼損型開閉装置。
【請求項２２】  支持体（３０）が保持部材（１１）の方に斜めに向いた押圧面（４２）を備え、この押圧面に、少なくとも１個の接触部材の圧縮面（４３）が対向していることを特徴とする請求項１３〜２１のいずれか一つに記載の焼損型開閉装置。
【請求項２３】  くさび面（３２）が円錐の外周面状に周方向に延びるように支持体（３０）上に配置されていることを特徴とする請求項１８〜２２のいずれか一つに記載の焼損型開閉装置。
【請求項２４】  接続位置で少なくとも１個の接触部材の接触面（３９；５１）だけが開閉リング（４；６）に接触し、かつ接触面（３９；５１）と相対的に軸方向にずれている連結個所でのみ、開閉ピン（５）の導体（４８）に導電的に連結され、この導体が少なくとも１個の接触部材に対して平行であり、かつ第２の電気的な端子に導電接触し、上記導電的な連結により、電流経路が導体（４８）と連結個所を経て延び、そして接触部材を経て反対方向に延びていることを特徴とする請求項１３〜２３のいずれか一つに記載の焼損型開閉装置。
【請求項２５】  軸方向に互いにずらした少なくとも２個の接触部材を備え、接続位置で少なくとも１個の接触部材の接触面（３９）が第１の開閉リング（４）に接触し、この接触部材に対して軸方向にずらした少なくとも１個の接触部材の接触面（５１）が第２の開閉リング（６）に接触し、導体（４８）が開閉ピン（５）の尖端または保持部材（１１）の方にずれた連結個所で接触部材に連結されていることを特徴とする請求項１〜２４のいずれか一つに記載の焼損型開閉装置。
【請求項２６】  導体（４８）が支持体（３０）の区間によって形成されていることを特徴とする請求項２４または２５記載の焼損型開閉装置。
【請求項２７】  接触部材（５４ａ，５４ｂ）が半径方向に少なくとも制限されて相対的に移動可能である平行な突起（５２ａ，５２ｂ）に配置され、それにより接触面（３９）が突起（５２ａ，５２ｂ）に対して開閉ピン軸線に関して９０°よりも大きな角度、特に１８０°だけずれていることを特徴とする請求項１４〜１７のいずれか一つに記載の焼損型開閉装置。
【請求項２８】  突起（５２ａ，５２ｂ）が開閉ピン軸線の方に弾性的に曲がることできることを特徴とする請求項２７記載の焼損型開閉装置。
【請求項２９】  各々の接触部材（５４ａ，５４ｂ）がそれを支持する突起（５２ａ；５２ｂ）に、らせん状に続く連結部材（５５ａ；５５ｂ）によって連結されていることを特徴とする請求項２７または２８記載の焼損型開閉装置。
【請求項３０】  突起（５２ａ；５２ｂ）と接触部材（５４ａ；５４ｂ）が支持体（３０）の端部に支持体と一体的に接続していることを特徴とする請求項２７〜２９のいずれか一つに記載の焼損型開閉装置。
【請求項３１】  開閉ピン（５）が互いに対向する２個の接触部材（５４ａ，５４ｂ）を備えていることを特徴とする請求項２７〜３０のいずれか一つに記載の焼損型開閉装置。
【請求項３２】  一方の接触部材（５４ｂ）がそれを支持する突起（５２ｂ）に、連結部材（５５ｂ）によって連結され、この連結部材が開閉ピン軸線に対して横方向に貫通する中央の開口（５６）を備え、他方の接触部材（５４ａ）がそれを支持する突起（５２ａ）に、連結部材（５５ａ）を介して連結され、この連結部材が上記の開口（５６）を通って案内されていることを特徴とする請求項３１記載の焼損型開閉装置。
【請求項３３】  接続位置で少なくとも１個の接触部材が第１の開閉リング（４）だけに接触し、この接触リングの軸方向の長さが少なくともアーク室（７）の長さに一致し、それによって遮断運動中に接触部材が一時的に第１の開閉リング（４）と第２の開閉リング（６）に接触することを特徴とする請求項と１３〜３２のいずれか一つに記載の焼損型開閉装置。
【請求項３４】  接続位置で開閉ピン（５）が第２の開閉リング（６）の開口を少なくともほぼ完全に埋めることを特徴とする請求項１〜３３のいずれか一つに記載の焼損型開閉装置。
【請求項３５】  第１の開閉リング（４）の開口の直径が、第２の開閉リング（６）の開口の直径よりも小さく、接続位置で開閉ピン（５）の尖端が第１の開閉リング（４）の開口を少なくともほぼ完全に埋め、開閉ピン（５）が第２の開閉リング（６）と第１の開閉リング（４）との間で段階的に先細になっていることを特徴とする請求項３４記載の焼損型開閉装置。
【請求項３６】  開閉ピン（５）の横断面が少なくとも一方の接触領域において、少なくともほぼ多角形の輪郭を有することを特徴とする請求項１〜３５のいずれか一つに記載の焼損型開閉装置。
【手続補正２】
【補正対象書類名】明細書
【補正対象項目名】０００４
【補正方法】変更
【補正の内容】
【０００４】
【課題を解決するための手段】
本発明によれば、上記課題は請求項１記載の特徴によって達成される。この特徴により、第１の開閉部材は大きな機械的負荷にも容易に耐えることができる。その際、接触押圧力は特に、開閉ピンの本発明による形成または保持によって得られる。この開閉ピンは第１の開閉部材との接触によって偏向または変形するかあるいは発生する電磁力によって接触領域の範囲において拡開される。これにより常に、比較的に大きな焼損予備量が保証される。開閉ピンが開閉リングとして形成された第１の開閉部材の内面を側方から押圧する構造が特に有利である。なぜなら、接触領域と、アーク基部を支持する開閉ピンの尖端部がそれぞれ互いに無関係に、その特別な役目に従って形成可能であるからである。